(57)【要約】【課題】簡易でかさばらない構成とするとともに、収納したディスクを取り出しやすくする。【解決手段】片部２０と、片部２０上にて互いに対向するように片部２０に折り畳み可能に連接した片部５０，６０とを有し、片部５０，６０のうち一方の片部５０が、片部２０との連接辺に対向する辺部に、ディスクの外周部が係合する切り欠き構造５１を有し、片部５０，６０のうち他方の片部６０と片部２０との連接辺と、切り欠き構造５１とによりディスクを固定する。【選択図】図１
2009120216.tif 000002
【特許請求の範囲】
【請求項１】
ディスクを収納するディスク収納体であって、
第１の片部と、
前記第１の片部上にて互いに対向するように前記第１の片部に折り畳み可能に連接した２つの第２の片部とを有し、
前記２つの第２の片部のうち一方の片部は、前記第１の片部との連接辺に対向する辺部に、ディスクの外周部が係合する係合部を有し、
前記２つの第２の片部のうち他方の片部と前記第１の片部との連接辺と、前記係合部とによりディスクを固定するディスク収納体。
【発明の詳細な説明】
【技術分野】
【０００１】
本発明は、ディスク型の記録媒体を収納するディスク収納体に関する。
【背景技術】
【０００２】
情報化社会の急速な進展に伴い、情報を電子データ化して取り扱うことが多くなっている。このように電子データ化された情報は、コンパクトディスク（ＣＤ）やフロッピーディスク（ＦＤ）等の記録媒体に記録され、保管されたり流通されたりしている。このような記録媒体のうち、コンパクトディスクのようなディスク型の記録媒体においては、ＣＤの他にも、情報量が多い映像等の情報を記録するためのＤＶＤ（Digital Versatile Disc）が流通しており、これらは、熱やほこり、磨耗に強く、ビット単価も安いことから、近年では、一般消費者にとっても情報を記録するための媒体として多く利用されている。
【０００３】
ＣＤやＤＶＤ等のディスク型の記録媒体は、熱やほこり、磨耗に強いものの、破損を防止するために、ケースに収納して保管、流通あるいは持ち歩かれることになる。そのため、ディスク型の記録媒体を収納する収納体として様々なものが考えられており、その中の１つとして、紙片を折り畳むことによりディスク型の記録媒体を固定して収納するディスク収納体が特許文献１に記載されている。
【０００４】
この特許文献１に記載されたディスク収納体は、第１片部と、この第１片部に対して開閉可能で第１片部上に互いに対向して配置された２つの第２片部とからなり、この第２片部のそれぞれに、ディスクの外周部に係止する切れ線が形成され、この２つの切れ線にディスクの互いに対向する外周部を挿入し、その後、第２片部を第１片部に対向するように閉じることによりディスクを固定、収納するものである。
【０００５】
このように紙片に切れ線等を形成し、この切れ線等にてディスクを固定することにより、簡易でかさばらないディスク収納体を実現することができる。
【特許文献１】特開平１０−７７０８１号公報
【発明の開示】
【発明が解決しようとする課題】
【０００６】
しかしながら、特許文献１に記載されたディスク収納体においては、第２片部にそれぞれ形成された切れ線にディスクの互いに対向する外周部が挿入された状態でディスクが収納されているため、ディスクを取り出す際、第２片部にそれぞれ形成された切れ線からディスクの外周部を抜くこととなり、ディスクを取り出しにくいという問題点がある。
【０００７】
本発明は、上述したような従来の技術が有する問題点に鑑みてなされたものであって、簡易でかさばらない構成とするとともに、収納したディスクを取り出しやすくすることができるディスク収納体を提供することを目的とする。
【課題を解決するための手段】
【０００８】
上記目的を達成するために本発明は、
ディスクを収納するディスク収納体であって、
第１の片部と、
前記第１の片部上にて互いに対向するように前記第１の片部に折り畳み可能に連接した２つの第２の片部とを有し、
前記２つの第２の片部のうち一方の片部は、前記第１の片部との連接辺に対向する辺部に、ディスクの外周部が係合する係合部を有し、
前記２つの第２の片部のうち他方の片部と前記第１の片部との連接辺と、前記係合部とによりディスクを固定する。
【０００９】
上記のように構成された本発明においては、２つの第２の片部のうち一方の片部に設けられた係合部にディスクの外周部を係合させてその片部を第１の片部に対して折り畳み、その後、２つの片部のうち他方の片部を第１の片部に対して折り畳む。すると、収納されたディスクは、２つの第２の片部のうち他方の片部と第１の片部との連接辺と、係合部とにより固定される。収納されたディスクを取り出す場合は、２つの第２の片部のうち他方の片部と第１の片部とを見開き、ディスクを係合部から離脱させて取り出す。
【００１０】
このように、第１の片部と２つの第２の片部とが折り畳み可能に連接した構成であることにより簡易でかさばらないものとなるとともに、収納されたディスクが、２つの第２の片部のうち他方の片部と第１の片部との連接辺と、係合部とにより固定される構成であることにより、収納されたディスクを取り出す場合、２つの第２の片部のうち他方の片部と第１の片部とを見開き、ディスクを係合部から離脱させるだけで容易に取り出すことができる。
【発明の効果】
【００１１】
以上説明したように本発明においては、第１の片部と、第１の片部上にて互いに対向するように第１の片部に折り畳み可能に連接した２つの第２の片部とを有し、２つの第２の片部のうち一方の片部が、第１の片部との連接辺に対向する辺部に、ディスクの外周部が係合する係合部を有し、２つの第２の片部のうち他方の片部と第１の片部との連接辺と、係合部とによりディスクを固定する構成としたため、簡易でかさばらない構成とすることができるとともに、収納されたディスクを取り出す場合は、２つの第２の片部のうち他方の片部と第１の片部とを見開き、ディスクを係合部から離脱させるだけとなり、収納したディスクを取り出しやすくすることができる。
【発明を実施するための最良の形態】
【００１２】
以下に、本発明の実施の形態について図面を参照して説明する。
【００１３】
図１は、本発明のディスク収納体の実施の一形態を示す図であり、展開した状態を示す図である。
【００１４】
本形態は図１に示すように、１方向に４つの片部１０，２０，３０，４０がそれぞれ折り部７１〜７３を介して折り畳み可能に連接し、また、４つの片部１０，２０，３０，４０のうちの１つの片部２０には、４つの片部１０，２０，３０，４０が連接する方向と直交する方向に２つの片部５０，６０がそれぞれ折り部７４，７５を介して折り畳み可能に連接して構成されている。なお、折り部７１〜７５は、折り線やミシン目によって形成されている。
【００１５】
片部１０は、折り部７１を介して片部２０が連接する辺と対向する辺部に、その辺部から突出した差し込み部８１が設けられている。
【００１６】
片部２０は、本発明の第１の片部となるものであって、１方向に２つの辺部１０，３０がそれぞれ折り部７１，７２を介して連接しているとともに、辺部１０，３０が連接する方向と直交する方向に２つの片部５０，６０がそれぞれ折り部７４，７５を介して連接している。これら片部２０に連接した片部１０，３０，５０，６０は、折り部７１，７２，７４，７５にて片部２０に対して折り畳み可能となっている。また、片部２０の片部３０との連接辺、すなわち折り部７２の一部には、片部１０，２０が折り部７１にて折り畳まれた場合に差し込み部８１が差し込まれる差し込み穴８２が設けられている。
【００１７】
片部５０，６０は、本発明の第２の片部となるものであって、片部２０に対してそれぞれ折り部７４，７５にて互いに対向するように折り畳み可能となっている。これら片部５０，６０のうち一方の片部５０には、片部２０との連接辺、すなわち折り部７４に対向する辺部に、その一部が逆円弧状に切り欠かれた係合部となる切り欠き構造５１が設けられており、逆円弧状の両端部がそれぞれ突き当て部５２となっている。
【００１８】
以下に、上記のように構成されたディスク収納体１の使用方法について説明する。
【００１９】
まず、図１に示したディスク収納体１へのディスク型記録媒体の収納方法について説明する。
【００２０】
図２は、図１に示したディスク収納体１へのディスク型記録媒体の収納方法を説明するための図である。
【００２１】
図１に示したディスク収納体１にディスク型記録媒体を収納する場合は、まず、図２（ａ）に示すように、片部５０に設けられた切り欠き構造５１に記録媒体となるディスク２の外周部を係合させるとともに、片部５０を折り部７４にて片部１０に対して折り畳む。また、片部４０についても折り部７３にて折り部３０に対して折り畳む。
【００２２】
図３は、図１に示した切り欠き構造５１へのディスク２の外周部の係合方法を詳細に説明するための図である。
【００２３】
ディスク２の外周部を切り欠き構造５１に係合させる場合は図３に示すように、片部５０の切り欠き構造５１によって形成された円弧状の部分がディスク２の下面に当接するようにディスク２を係合させていく。そして、ディスク２が片部５０の切り欠き構造５１が形成されていない領域と重なるようになったら、その領域、すなわち切り欠き構造５１の両側部分がディスク２の上面に当接するようにディスク２をさらに係合させていく。その後、切り欠き構造５１の逆円弧状の両端部の突き当て部５２にディスク２を突き当てディスク２の外周部を切り欠き構造５１に係合させる。
【００２４】
これにより、ディスク２は、片部５０の切り欠き構造５１によって形成された円弧状の部分によって下面が支えられ、また、片部５０の切り欠き構造５１の両側部分によって上面が支えられることになる。
【００２５】
次に、図２（ｂ）に示すように、片部６０をディスク２が内側となるように折り部７５にて片部１０に対して折り畳む。ここで、ディスク２の外周部が切り欠き構造５１に係合された場合、図２（ａ）に示すように、ディスク２の切り欠き構造５１に係合した部分に対向する端部は折り部７５と重なるようになる。そのため、ディスク２の外周部が切り欠き構造５１に係合された状態で片部６０が折り部７５にて片部１０に対して折り畳まれると、ディスク２は、片部２０と片部６０との連接辺に当接し、この連接辺と切り欠き構造５１とによって固定されることになる。
【００２６】
次に、図２（ｃ）に示すように、片部１０をディスク２が内側となるように折り部７１にて片部２０に対して折り畳み、片部１０に設けられた差し込み部８１を、片部２０と片部３０との連接辺となる折り部７２に設けられた差し込み穴８２に挿入する。
【００２７】
その後、図２（ｄ）に示すように、片部３０，４０を片部１０が内側となるように折り部７２にて片部２０に対して折り畳む。
【００２８】
このようにして、図１に示したディスク収納体１に記録媒体であるディスク２を収納することになる。この際、ディスク収納体１に収納されたディスク２は上述したように、片部２０と片部６０との連接辺と切り欠き構造５１とによって固定されることになる。また、図２に示したように、片部２０の片部１０，２０，３０，４０が連接する方向の幅をディスク２の直径と略同一とすることにより、これら片部１０と片部２０との連接辺と、片部２０と片部３０との連接辺とによってもディスク２を固定することができる。
【００２９】
次に、上記のようにディスク収納体１に収納されたディスク２の取り出し方法について説明する。
【００３０】
図４は、図１に示したディスク収納体１に収納されたディスク２の取り出し方法を説明するための図である。
【００３１】
上記のようにして図１に示したディスク収納体１に収納されたディスク２を取り出す場合は、まず、図４（ａ）に示すように、片部１０，２０と片部３０，４０とを見開く。
【００３２】
次に、図４（ｂ）に示すように、差し込み穴８２に差し込まれた差し込み部８１を差し込み穴８２から抜脱し、片部１０と片部２０とを見開く。
【００３３】
次に、図４（ｃ）に示すように、片部２０と片部６０とを見開く。
【００３４】
その後、図４（ｄ）に示すように、ディスク２を切り欠き構造５１から離脱し、ディスク収納体１から取り出す。この際、ディスク２は、片部５０の切り欠き構造５１によって形成された円弧状の部分によって下面が支えられるとともに、切り欠き構造５１の両側部分によって上面が支えられているだけであるため、片部２０と片部６０とが見開かれた状態においては、切り欠き構造５１に係合している外周部に対向する側はフリーな状態となっている。そのため、ディスク２を切り欠き構造５１とは反対側に動かすだけで切り欠き構造５１からディスク２を容易に離脱することができる。
【００３５】
上述したように本形態においては、６つの片部１０，２０，３０，４０，５０，６０がそれぞれ折り部７１〜７５を介して折り畳み可能に連接した構成であることにより簡易でかさばらないものとなるとともに、収納されたディスク２が、片部２０と片部６０との連接辺と切り欠き構造５１とによって固定される構成であることにより、収納されたディスク２を取り出す場合、片部２０と片部６０とを見開き、ディスク２を切り欠き構造５１から離脱させるだけで容易に取り出すことができる。
【図面の簡単な説明】
【００３６】
【図１】本発明のディスク収納体の実施の一形態を示す図である。
【図２】図１に示したディスク収納体へのディスク型記録媒体の収納方法を説明するための図である。
【図３】図１に示した切り欠き構造へのディスクの外周部の係合方法を詳細に説明するための図である。
【図４】図１に示したディスク収納体に収納されたディスクの取り出し方法を説明するための図である。
【符号の説明】
【００３７】
１    ディスク収納体
２    ディスク
１０，２０，３０，４０，５０，６０    片部
５１    切り欠き構造
５２    突き当て部
７１〜７５    折り部
８１    差し込み部
８２    差し込み穴
【図１】
2009120216.tif 000003
【図２】
2009120216.tif 000004
【図３】
2009120216.tif 000005
【図４】
2009120216.tif 000006